(57)【特許請求の範囲】
【請求項１】
コネクション設定時に帯域確保して通信品質を保証するＡＴＭ交換機において、要求されたコネクションに対応する帯域予約を複数のＳＶＣを用いて分割してＡＴＭ回線に帯域設定し、前記コネクションの実際の通信内容を監視し、前記ＳＶＣのうちで一定時間使用されないＳＶＣを開放して帯域の変更を行う帯域変更手段を備えたことを特徴とするＡＴＭ交換機。
【請求項２】
前記帯域変更手段は、要求される通信内容の中で必要帯域が最小の通信内容に対応した帯域のＳＶＣを含む複数のＳＶＣを用いて、要求される通信内容の中で必要帯域が最大の通信に対応した帯域を確保してコネクション設定を行うことを特徴とする請求項１に記載のＡＴＭ交換機。
【請求項３】
電話通話とＦＡＸ通信とに対応したＴＤＭ回線をＡＴＭ回線に中継するＡＴＭ交換機であって、ＴＤＭ回線からの発呼に対応する帯域予約を電話通話に対応する帯域のＳＶＣを含む複数のＳＶＣを用いてＡＴＭ回線にＦＡＸ通信に対応した帯域設定し、実際の通信内容を一定時間監視してＦＡＸトーンが検出されない場合には前記電話通話に対応する帯域のＳＶＣ以外の全てのＳＶＣを開放する帯域変更手段を備えたことを特徴とするＡＴＭ交換機。
【請求項４】
コネクション設定時に帯域確保して通信品質を保証するＡＴＭ回線網における帯域管理方法であって、
通信端末からの接続要求を受けたＡＴＭノードが、要求されたコネクションの帯域予約を必要帯域最小の通信内容に対応した帯域のＳＶＣを含む複数のＳＶＣを用いて分割してＡＴＭ回線に帯域設定し、前記コネクションの実際の通信内容を監視し、前記ＳＶＣのうちで一定時間使用されないＳＶＣを開放して帯域の変更を行うことを特徴とする帯域管理方法。
【請求項５】
電話通話とＦＡＸ通信とに対応したＴＤＭ回線を中継するＡＴＭ回線網における帯域管理方法であって、
ＴＤＭ回線からの発呼を受けたＡＴＭ交換機が、当該発呼に対応する帯域予約を電話通話に対応する帯域のＳＶＣを含む複数のＳＶＣを用いてＡＴＭ回線にＦＡＸ通信に対応した帯域設定し、実際の通信内容を一定時間監視してＦＡＸトーンが検出されない場合には前記電話通話に対応する帯域のＳＶＣ以外の全てのＳＶＣを開放することを特徴とする帯域管理方法。
【発明の詳細な説明】
【０００１】
【発明の属する技術分野】
本発明は、通信コネクション毎にコネクション設定時に帯域確保して通信品質を保証するＡＴＭ（非同期転送モード）交換機および帯域管理方法に関し、特にＡＴＭ回線網の帯域利用をより適切に管理できるようにしたＡＴＭ交換機および帯域管理方法に関する。
【０００２】
【従来の技術】
ＡＴＭネットワークでは、通信品質の確保と帯域の効率的利用のため、ＡＴＭコネクションを設定する際に、通信に必要な帯域確保をＡＴＭ交換機（ＡＴＭ＿ＳＷ）に要求する手段を持つ。ＡＴＭ交換機は、要求された帯域をＡＴＭ交換機内に確保できる場合は、そのコネクション設定を許可し、確保できない場合はコネクション設定を許可しない様に機能する。確保された帯域は保護され、他のコネクション上のトラフィックからの影響を受けることが無い。この様な機能は、ＡＴＭ  Forum のユーザ・ネットワーク・インタフェース（ＵＮＩ）で規定されているＣＡＣ（Connection Admission Control）と呼ばれている。
【０００３】
ＡＴＭ交換機が通信品質を保証するために確保する帯域は、ユーザの申告（要求）してきた帯域に基づいて確保されるため、もしユーザが実際の通信帯域を大きく越える帯域を要求してきたような場合、ＡＴＭ交換機には必要以上の帯域が確保されてしまい、その結果、他のユーザがそのＡＴＭ交換機を利用できなくなる場合が生じる。
【０００４】
従って、複数のユーザに対してＡＴＭ交換機内の限られた帯域をより効率的に利用させるためには、ＡＴＭコネクション設定時にユーザ側が要求する帯域の大きさは、より適正なものである必要がある。つまり、必要以上に大きな帯域を要求して、実際には使用しない帯域がＡＴＭ交換機内に確保されることが無いようにする必要がある。
【０００５】
ＡＴＭ交換機の帯域管理を最適に行い、統計多重による帯域の有効利用を行うためには、通信するアプリケーションが実際に使用する帯域に応じた帯域をＡＴＭ交換機内に確保することが望ましい。
【０００６】
しかしながら、一つのＡＴＭコネクション上に、複数のアプリケーションが通信する場合、しかもそれぞれが必要とする帯域の大きさが異なる場合、最適な帯域要求は難しい。一例を挙げれば、既存のＰＢＸ（Private branch exchange ）網等のＴＤＭ（時分割多重）回線をＡＴＭ回線で中継するネットワークシステム（この種システムの一例は特開平１１−１３６７１５号公報；「ネットワークシステム及び通信装置」に開示されている）において、一つのコネクション上に８ｋｂｐｓに圧縮された音声通話と、見なし音声通信による６４ｋｂｐｓのＦＡＸ通信が行われるケースが相当する。コネクション設定時には、どちらのアプリケーションによって通信が行われるかが分からない為、要求する帯域が決定できない。
【０００７】
通常、このような場合には、どの様なアプリケーションの場合でも正常通信が保証できる様に、各アプリケーションが必要とする帯域の最大値をＡＴＭ交換機内に要求、確保するのが一般的である。上述の８ｋｂｐｓの音声と６４ｋｂｐｓのＦＡＸ通信の場合には、使用帯域の大きいＦＡＸ通信用の帯域＝６４ｋｂｐｓを確保することになる。
【０００８】
上述したような帯域管理方法では、８ｋｂｐｓの音声通話を行っている時でも６４ｋｂｐｓの帯域が確保されていることになり、余剰な帯域確保が生じている。これは言うまでもなくＡＴＭ交換機の帯域を有効活用する観点から望ましくないことである。
【０００９】
ＡＴＭのコネクションを設定する段階では、これから行われる通信のアプリケーションが８ｋｂｐｓの通話なのか、６４ｋｂｐｓの見なし音声によるＦＡＸ通信かは知ることができないことから、従来までは、このように無駄のある帯域管理が行われていた。その結果、ＡＴＭ交換機の統計多重による帯域の有効利用が十分に行われないという問題があった。
【００１０】
【発明が解決しようとする課題】
本発明は、前述したごとくＡＴＭ通信において帯域の有効利用が十分に行われないという問題点に対処すべくなされたもので、ＡＴＭ交換機内の帯域利用をより適正化することができるＡＴＭ交換機および帯域管理方法を提案することを目的とするものである。
【００１１】
【課題を解決するための手段】
課題解決のため、本発明ではＡＴＭ交換機に帯域変更手段を備える。この帯域変更手段は、要求されたコネクションに対応する帯域予約を複数のＳＶＣ（Switched Virtual Channel）を用いて分割してＡＴＭ回線に帯域設定し、前記コネクションの実際の通信内容を監視し、前記ＳＶＣのうちで一定時間使用されないＳＶＣを開放して帯域の変更を行う。
【００１２】
前記帯域変更手段は、要求される通信内容の中で必要帯域が最小の通信内容に対応した帯域のＳＶＣを含む複数のＳＶＣを用いて、要求される通信内容の中で必要帯域が最大の通信に対応した帯域を確保してコネクション設定を行うようにすることができる。
【００１３】
また、本発明では、電話通話とＦＡＸ通信とに対応したＴＤＭ回線をＡＴＭ回線に中継するＡＴＭ交換機に、ＴＤＭ回線からの発呼に対応する帯域予約を電話通話に対応する帯域のＳＶＣを含む複数のＳＶＣを用いてＡＴＭ回線にＦＡＸ通信に対応した帯域設定し、実際の通信内容を一定時間監視してＦＡＸトーンが検出されない場合には前記電話通話に対応する帯域のＳＶＣ以外の全てのＳＶＣを開放する帯域変更手段を具備させる。
【００１４】
本発明方法は、コネクション設定時に帯域確保して通信品質を保証するＡＴＭ回線網における帯域管理方法であって、通信端末からの接続要求を受けたＡＴＭノードが、要求されたコネクションの帯域予約を必要帯域最小の通信内容に対応した帯域のＳＶＣを含む複数のＳＶＣを用いて分割してＡＴＭ回線に帯域設定し、前記コネクションの実際の通信内容を監視し、前記ＳＶＣのうちで一定時間使用されないＳＶＣを開放して帯域の変更を行うようにする。
【００１５】
また、電話通話とＦＡＸ通信とに対応したＴＤＭ回線を中継するＡＴＭ回線網における帯域管理方法として、ＴＤＭ回線からの発呼を受けたＡＴＭ交換機が、当該発呼に対応する帯域予約を電話通話に対応する帯域のＳＶＣを含む複数のＳＶＣを用いてＡＴＭ回線にＦＡＸ通信に対応した帯域設定し、実際の通信内容を一定時間監視してＦＡＸトーンが検出されない場合には前記電話通話に対応する帯域のＳＶＣ以外の全てのＳＶＣを開放するようにする。
【００１６】
【発明の実施の形態】
本発明は、通信コネクション毎に帯域予約を行うＡＴＭ交換機（ＡＴＭ＿ＳＷ）において、一本の通信パスに対応付けて「正規コネクション」と「ダミーコネクション」と呼ぶ、通信には使用しないコネクションを複数本用意することで、ＡＴＭ＿ＳＷ内の帯域予約を複数のコネクションで分担させ、その後に必要に応じてダミーコネクションを切断することにより、ＡＴＭ交換機内の予約帯域を変更する手段を具備させることで、ＡＴＭ交換機内の帯域利用をより適正化することを特徴とする。
【００１７】
本発明方法では、通信端末からの接続要求を受けたＡＴＭ交換機（ＡＴＭノード）が、要求されたコネクションの帯域予約を必要帯域最小の通信内容に対応した帯域のＳＶＣを含む複数のＳＶＣを用いて分割してＡＴＭ回線に帯域設定し、前記コネクションの実際の通信内容を監視し、前記ＳＶＣのうちで一定時間使用されないＳＶＣを開放して帯域の変更を行うことで、ＡＴＭ回線網における帯域管理を行う。
【００１８】
電話通話とＦＡＸ通信とに対応したＰＢＸ装置等のＴＤＭ回線をＡＴＭ回線に中継するＡＴＭ交換機においては、帯域変更手段は、ＴＤＭ回線からの発呼に対応する帯域予約を電話通話に対応する帯域のＳＶＣを含む複数のＳＶＣを用いてＡＴＭ回線にＦＡＸ通信に対応した帯域設定し、実際の通信内容を一定時間監視してＦＡＸトーンが検出されない場合には前記電話通話に対応する帯域のＳＶＣ以外の全てのＳＶＣを開放する構成とする。
【００１９】
〔実施例〕以下では、実施例をあげ図面を参照して本発明について詳細に説明する。図１は、本発明の一実施例であるＡＴＭ交換機（ＴＤＭ＿Ｉ／Ｆボード）の概略構成を示すブロック図、図２は本発明に係る電話通話とＦＡＸ通信とに対応したＴＤＭ回線をＡＴＭ回線に中継するＡＴＭ交換機を含み構成されたＡＴＭ通信網のブロック図(a) と帯域予約方法を説明する図(b),(c),(d) 、図３は実施例ＡＴＭ交換機のコネクション設定処理と帯域予約処理を説明する制御フローチャート、図４(a),(b) は実施例交換機を含んだＡＴＭ網における帯域確保動作を説明するフロー図であり、図５(a),(b) はＡＴＭ交換機内の帯域予約の変化を説明する図である。
【００２０】
実施例のＡＴＭ交換機は、実施例に係るネットワークを示す図２(a) 中でＡＴＭ＿ＳＷ１およびＡＴＭ＿ＳＷ3 として示すように、電話通話とＦＡＸ通信に対応してＰＢＸ装置（ＰＢＸ１あるいはＰＢＸ２）のＴＤＭ回線をＡＴＭ回線網に中継するためのＡＴＭ交換機である。
【００２１】
先ず、実施例のＡＴＭ交換機の構成について説明する。図１の構成ブロック図を参照すると、本発明の実施例のＡＴＭ交換機200 は、ＴＤＭ回線に接続された管理制御セクション100 と、この管理制御セクション100 に順に接続されたＡＴＭ＿ＳＷ;112、ＡＴＭ＿Ｉ／Ｆ;114、そして前記管理制御セクション100 及びＡＴＭ＿ＳＷ;112に接続されてこれらを制御する主制御部113 により構成されている。ＡＴＭ＿Ｉ／Ｆ:114はＡＴＭ回線網に接続されている。
【００２２】
上記管理制御セクション100 は、セクション（カード）全体を制御する制御部111 と、ＰＢＸ装置のＴＤＭ回線に接続された物理終端部101 、この物理終端部101 から順に接続されたＴＤＭシグナリング抽出部102 、音声処理部103 、セル組立／分解部104 、セル送出調停部105 を有し、更には前記ＴＤＭシグナリング抽出部102 に接続されたＴＤＭシグナリング終端部110 、前記制御部111 と前記ＴＤＭシグナリング抽出部102 の出力それぞれに接続されたＦＡＸトーン検出部106 、前記セル送出調停部105 に接続されたＡＴＭシグナリング管理部107 、このＡＴＭシグナリング管理部107 に接続されたタイマ管理部108 および帯域管理部109 を含み構成されている。
【００２３】
前記制御部111 は、前記ＴＤＭシグナリング制御部110 、前記帯域管理部109 、及び前述の主制御部113 とも接続されている。また、前記セル送出調停部105 は、前記ＡＴＭ＿ＳＷ部112 に接続されている。
【００２４】
上記物理終端部101 は、ＴＤＭ回線から受信した信号を物理的、電気的に変換し、また同期フレームを終端する。ＴＤＭシグナリング抽出部102 は、ＴＤＭ回線の信号からシグナリング情報を抽出し、それをＴＤＭシグナリング終端部110 に送信する機能を持つ。音声処理部103 は、６４ｋｂｐｓのPCM 音声符号を８ｋｂｐｓや１６ｋｂｐｓの符号に変換したり、エコーキャンセルを行う。ＦＡＸトーン検出部106 は、ＦＡＸ信号の検出を行うブロックである。セル組立／分解部104 は、ＴＤＭ信号をＡＴＭセルに、またＡＴＭセルをＴＤＭ信号に変換する機能を持つ。
【００２５】
ＡＴＭシグナリング管理部107 は、ＡＴＭ網内のコネクションを管理するブロックで、ＡＴＭコネクション設定用のシグナリングメッセージの生成、送出、コネクション切断を行う。帯域管理部109 は、ＡＴＭコネクションの帯域管理を行うブロックである。タイマー管理部108 は、ＡＴＭ網内にコネクション設定後、所定時間経過したことを知るためまた該所定時間内に（もしあれば）ＦＡＸ信号が検出されるまでの時間を管理する。
【００２６】
セル送出調停部105 は、セル組立／分解部からのセルと、ＡＴＭシグナリング管理部107 からのセルの送出順序、及びタイミングを調停するブロックである。また、制御部111 は、上述各部を含む機能ブロック（カード）としての管理制御部100 全体の制御を行う。ＡＴＭ＿ＳＷ;112はセルを交換しＡＴＭ＿Ｉ／Ｆ;114の所定ポートへ転送する。主制御部113 は、ＡＴＭ交換機全体の制御を行う。
【００２７】
次に、図２〜５を用いて、実施例装置の帯域確保に関連した動作を説明する。ＡＴＭ交換機のその他の動作については良く知られており説明を省略する。先ず図２により、実施例装置の概略動作を説明する。図２において、ＦＡＸや電話機からの発呼信号をPBX 経由で受信したＡＴＭ＿ＳＷ１は、通信用のパスをＡＴＭ＿ＳＷ２〜ＡＴＭ＿ＳＷ３（ＡＴＭ網内）に確立し、且つ、通信に必要な帯域を予約するのに、複数のセットアップメッセージを用いる。
【００２８】
セットアップメッセージの中には、使用するＶＰＩ／ＶＣＩ（Virtual Path Identifier ／Virtual Channel Identifier）や、使用帯域の情報が含まれている。図４の例では、一本の通信パスに４本のセットアップを用いている。各セットアップメッセージは、通信帯域として、それぞれ１６ｋｂｐｓを要求し、対応して４つのＳＶＣ（Switched Virtual Channel）コネクションが割当てられてトータルとして６４ｋｂｐｓの帯域が各ＡＴＭ＿ＳＷ内に確保される（図２（ｂ））。
【００２９】
４つのＳＶＣコネクションのうち、１本が必ず実際の通信に使用される正規コネクションで、残りの３本のコネクションは、帯域確保のために用いるダミーコネクションである。ダミーコネクションは、帯域の確保が必要なければ、切断する。
【００３０】
図２の例では、実際の通信が６４ｋｂｐｓの帯域を必要とするＦＡＸ通信であればダミーコネクションの切断は行われないが、実際の通信が、１６ｋｂｐｓの音声圧縮符号による電話通話の場合、６４ｋｂｐｓの帯域は必要ないので、ダミーコネクション３本を切断することにより、図２(c) に示すように各ＡＴＭ＿ＳＷ内の予約帯域を１６ｋｂｐｓに変更でき、適正化する事ができる。
【００３１】
このように、ＡＴＭ＿ＳＷ内の帯域予約行為を複数のＳＶＣコネクションで分担して行うことにより、必要に応じて、ＡＴＭ＿ＳＷ内の予約帯域を変更することができる。なお、コネクション当たりの予約帯域を小さい値にすれば、より細かな帯域変更が可能となる。
【００３２】
図３のフローチャートを用いて実施例における帯域確保処理の概略を説明する。ＡＴＭ交換機の管理制御セクション（ＴＤＭ＿Ｉ／Ｆ部）100 において、ＴＤＭ回線からの発呼信号を受信した場合（ステップ；Ｓ１）、ＡＴＭ交換機（ＴＤＭ＿Ｉ／Ｆボード）は、ＡＴＭ網内にSETUP メッセージを送出し、たとえば４本のＳＶＣコネクションを確立する（ステップ；Ｓ２）。各コネクションが要求する帯域を１６ｋｂｐｓとすると、４本のコネクションにより６４ｋｂｐｓの帯域が確保されることとなる（ステップ；Ｓ３）。そして、コネクションが確立された後、タイマー管理部108 のＦＡＸ信号検出タイマーを始動させる（ステップ；Ｓ４）。
【００３３】
そしてタイマーがタイムアウトしているかの確認（判定）を行い（ステップ；Ｓ５）、“ＮＯ”であればＴＤＭ＿Ｉ／Ｆ部からＦＡＸトーン信号を検出したかの確認を行う（ステップ；Ｓ６）。ステップ；Ｓ６での判定が”ＮＯ”の場合にはステップ５に戻り、確認動作を繰り返す。確認動作中に設定時間が経過しタイムアウトが発生した場合（Ｓ５において“ＹＥＳ”）には、ダミーＳＶＣコネクションを切断する処理を行い（ステップ；Ｓ７）、ＡＴＭ通信網内に確保された帯域を解放し１６ｋｂｐｓの帯域を確保して（ステップ；Ｓ８）帯域確保動作を終了する。
【００３４】
図３のフローチャートにおいて、もしもステップ；Ｓ６でＦＡＸトーンを検出した場合（ＹＥＳ）には、タイマー動作を終了し（ステップ；Ｓ９）、コネクションの確立動作、帯域確保動作は、終了する。こうした一連の動作によって、ＡＴＭ通信網内の予約帯域を適正化する。
【００３５】
実施例の動作を帯域確保処理を中心に、より具体的に説明する。ボード全体の制御を行う制御部111 は、ＴＤＭシグナリング終端部110 からシグナリング信号を受信すると（図３：Ｓ１）、ＡＴＭ網内に通信用コネクションを確立するため、ＡＴＭシグナリング管理部107 に対し、ＡＴＭ網内へのセットアップ信号の生成・送出を指示する。
【００３６】
ＡＴＭシグナリング管理部107 は、通信パスとして、通信用の正規コネクション１本と、帯域変更に使用するダミーコネクション（複数本）をＡＴＭ網内に設定する様、セットアップメッセージの生成・送出を行う（図３：Ｓ２）。各セットアップメッセージには、ＡＴＭ通信に予約する帯域の大きさを記述する。端末は、正規コネクションとダミーコネクションで予約された帯域の合計値を利用可能な帯域として使用する。
【００３７】
たとえば、４本のコネクションを設定し、それぞれが１６ｋｂｐｓの帯域を要求した場合、合計６４ｋｂｐｓの帯域が当該通信の経路となる各ＡＴＭ＿ＳＷ内（網内）に確保されることになる（図３：Ｓ３）。ただし、実際に通信に使用するコネクションは、そのうちの１本（通信用正規コネクション）で、残り３本のダミーコネクションには通信セルは流れない。
【００３８】
ＡＴＭシグナリング管理部１０７は、コネクションを設定すると同時に、タイマー管理部108 に対して、タイマーの始動を指示する（図３：Ｓ４）。このタイマーは、ＦＡＸ信号（トーン信号）の検出時間の管理に使用する（図３：Ｓ５）。ＦＡＸトーン検出部106 は、ＴＤＭ回線のＰＣＭ信号をモニターし、ＦＡＸ信号（トーン信号）が端末から送出されているかを監視している（図３：Ｓ６）。ＦＡＸトーン検出部106 は、ＦＡＸ信号を検出した場合には（Ｓ６；ＹＥＳ）、それを制御部111 に伝える。対応して制御部111 は、ＡＴＭシグナリング管理部107 に対し、タイマーのカウント停止を指示させ、タイマー管理部108 はタイマーのカウントを停止する（図３：Ｓ９）。
【００３９】
一方、ＦＡＸトーン検出部106 がＦＡＸ信号を検出することなく、タイマー管理部108 のタイマーがタイムアウトした場合（Ｓ５；ＹＥＳ）、当該通信は音声による通信（通話）であると判断され、ＡＴＭシグナリング管理部107 は、先に設定したコネクションのうち、ダミーコネクションとして設定した３本のコネクション全てを切断する（図３：Ｓ７，Ｓ８）。タイマー管理部108 はタイマーカウントを停止する（図３：Ｓ９）。このようにして、複数本のコネクション設定によりＡＴＭ交換機内に確保した帯域のうちで必要のない帯域を解放する。
【００４０】
図４(a) は、実施例におけるＦＡＸ通信の場合に対応したコネクション確立動作と帯域確保動作を示すフロー図である。また、図５(a) は、ＦＡＸ通信の場合のＡＴＭ交換機内に確保される予約帯域の変化を示す図である。ＦＡＸ通信は、音声帯域（見なし音声）で行い、必要帯域は６４ｋｂｐｓと仮定する。
【００４１】
図４(a) において、端末１（ＦＡＸ）から発呼があると、発呼信号を受信したＡＴＭ交換機ＡＴＭＳＷ１は、ＡＴＭ網内にSETUP メッセージを４個送出して、ＡＴＭコネクションの確立処理を行う。このとき、各SETUP メッセージではそれぞれが１６ｋｂｐｓの帯域をＡＴＭ交換機内に確保するよう要求する。
【００４２】
こうしてＡＴＭ交換機ＡＴＭＳＷ１は、ＳＶＣを４本生成し、４つのコネクションを設定する。各コネクションに割り当てられる帯域は１６ｋｂｐｓで、合計６４ｋｂｐｓの帯域が端末用に確保される。４本のコネクションのうち、１本が通信に使用する正規コネクションで、残りの３本はダミーコネクションとして扱われる。
【００４３】
タイマー管理部108 は、コネクション確立後にＦＡＸ信号検出タイマーを始動させる。コネクションの確立が終了すると、各ＡＴＭ交換機（網内）には、４本のコネクションにより、合計６４ｋｂｐｓの帯域（１６ｋｂｐｓ×４）が確保される。
【００４４】
ＦＡＸ信号検出タイマーを始動したあと、ＡＴＭ交換機ＡＴＭＳＷ１（もしくはＡＴＭ交換機ＡＴＭＳＷ３）において、ＦＡＸトーン信号が検出された場合、ＡＴＭ交換機は、当該コネクションに必要な帯域は６４ｋｂｐｓであると判断し、ダミーコネクションをそのまま残す（切断処理をしない）。同時にＦＡＸ信号検出タイマーを停止させ、コネクション確立および帯域確保処理が終了する。すなわち当初確保された帯域はＦＡＸ通信の場合には変更されない。このようにしてＦＡＸ通信の場合には、正常なＦＡＸ通信に必要な帯域すなわち６４ｋｂｐｓがＡＴＭ網内に確保される。
【００４５】
続いて、帯域変更を伴う電話通話の場合について実施例の動作を説明する。図４(b) は、電話通話の場合のコネクション確立動作と帯域確保動作を示すフロー図である。また図５(b) は、音声通話の場合にＡＴＭ交換機に確保される予約帯域の変化を示す図である。なお、この例では、音声で使用する帯域は１６ｋｂｐｓ以下と仮定する。電話通話の場合も、図４(b) における端末１からの発呼処理からＡＴＭ交換機ＡＴＭＳＷ１によるＡＴＭコネクション確立処理、タイマーの始動までの動作は、図４(a) の場合と全く同じである。
【００４６】
４本のコネクションに割り当てられる帯域は１６ｋｂｐｓで、合計６４ｋｂｐｓの帯域が端末（電話）用に確保される。４本のコネクションのうち、１本が通信に使用する正規コネクションで、残りの３本はダミーコネクションとして扱われる。ダミーコネクションは、帯域を確保するために用いているだけで、実際の通信には使用されない。このようにＡＴＭ網内の帯域は、同様に当初は６４ｋｂｐｓが確保される。
【００４７】
コネクション確立後は、ＡＴＭ交換機ＡＴＭＳＷ１およびＡＴＭ交換機ＡＴＭＳＷ３でＦＡＸ信号検出タイマーが始動している。しかし、電話通話の場合は、コネクション確立後に、ＡＴＭ交換機ＡＴＭＳＷ１あるいはＡＴＭ交換機ＡＴＭＳＷ３のいずれにおいてもＦＡＸ信号が検出されないから所定設定時間が経過するとＦＡＸ信号検出タイマーがタイムアウトする。
【００４８】
この場合は、タイムアウトを検出した側のＡＴＭ交換機は、当該通信コネクションに必要な帯域は１６ｋｂｐｓであると判断し、既に設定された４本のうち、正規コネクション１本のみを残してダミーコネクション（３本）を切断する。この結果、各ＡＴＭ交換機内に確保される帯域は、正規コネクション１本分の帯域すなわち１６ｋｂｐｓ分のみとなる。この値は、音声圧縮を使用した通話において、正常通信可能な帯域とする。このようにしてＡＴＭ交換機内の確保帯域は通信内容に適した値となる。
【００４９】
このようにして、実施例では、ＡＴＭ＿ＳＷに確保する通信帯域をＳＶＣパスの設定・切断により変更することができるので、通信パス設定後にＡＴＭ＿ＳＷの予約帯域を適正化することができ、ＡＴＭ＿ＳＷの帯域を有効に利用することができる。特に、通信用コネクションを切断することなしに帯域適正化を行っており、ユーザに対する影響がない。
【００５０】
以上説明したごとく本発明によれば、通信コネクション毎に帯域予約を行うＡＴＭ交換機（ＡＴＭ＿ＳＷ）において、一本の通信パスに「正規コネクション」と「ダミーコネクション」と呼ぶ、通信には使用しないコネクションを複数本用意することで、ＡＴＭ＿ＳＷ内の帯域予約を複数のコネクションで分担させ、その後に必要に応じてダミーコネクションを切断することにより、ＡＴＭ交換機内の予約帯域を変更する手段を具備させることで、ＡＴＭ交換機内の帯域利用がより適正化できる。コネクション当たりの予約帯域を小さい値にすることで、より細かな帯域変更が可能となる。
【００５１】
実施例では、ＴＤＭ回線をＡＴＭ回線に中継するＡＴＭ交換機（ＴＤＭ＿Ｉ／Ｆボード）について説明したが、これに限らず本発明は一般に必要帯域が異なった種類の通信を扱うＡＴＭ交換機に対して適用することができる。
【００５２】
【発明の効果】
本発明のＡＴＭ交換機においては、要求されたコネクションに対応する帯域予約を複数のＳＶＣを用いて分割してＡＴＭ回線に帯域設定し、前記コネクションの実際の通信内容を監視し、前記ＳＶＣのうちで一定時間使用されないＳＶＣを開放して帯域の変更を行う帯域変更手段を備えるようにしたことにより、次のような効果を得ることができる。
【００５３】
第１に、ＡＴＭ交換機の予約帯域を変更する手段を有しているので、通信内容に応じて予約帯域を最適な値に変更することができる。すなわち、ＡＴＭ交換機の予約帯域を適正化しているので、ＡＴＭ交換機に確保した予約帯域の余剰が小さくなり、ＡＴＭ交換機内の帯域の利用率を高めることができる。
【００５４】
第２に、ダミーコネクションと呼ぶ、帯域変更用コネクションを用いることで帯域の変更を実現しているので、従来のように通信用コネクションを切断する必要が無く、ユーザへの影響がない。
【図面の簡単な説明】
【図１】本発明の一実施例であるＡＴＭ交換機（ＴＤＭ＿Ｉ／Ｆボード）の概略構成を示すブロック図である。
【図２】本発明に係るＡＴＭ通信網における帯域予約方法を示す説明図である。
【図３】実施例ＡＴＭ交換機のコネクション設定処理と帯域予約処理を説明する制御フローチャートである。
【図４】実施例交換機を含んだＡＴＭ網における帯域確保動作を説明するフロー図である。
【図５】実施例交換機内の帯域予約の変化を説明する図である。
【符号の説明】
100 …管理制御セクション
101 …物理終端部
102 …ＴＤＭシグナリング抽出部
103 …音声処理部
104 …セル組立／分解部
105 …セル送出制御部
106 …ＦＡＸトーン検出部
107 …ＡＴＭシグナリング管理部
109 …帯域管理部
108 …タイマ管理部
110 …ＴＤＭシグナリング制御部
111 …制御部
112 …ＡＴＭ＿ＳＷ部
113 …主制御部
114 …ＡＴＭ＿Ｉ／Ｆ部
200 …ＡＴＭ交換機
ＡＴＭ通信網  …
ＴＤＭ回線  …
【図１】
0003543762.tif 000002
【図２】
0003543762.tif 000003
【図３】
0003543762.tif 000004
【図４】
0003543762.tif 000005
【図５】
0003543762.tif 000006